(57)【要約】      （修正有）【課題】人の興味を引くような特異な画像を表示することが可能な回転型画像表示装置を提供する。【解決手段】ケース外表示用発光素子からの光を反射するケース外表示用ミラー９Ａと、ケース部材７に形成されたケース外表示用開口１０Ａとを有し、ケース外表示用ミラー９Ａは、ケース外表示用発光素子からの光がケース外表示用ミラー９Ａに反射されてケース外表示用開口１０Ａから出射するまでの光路長がケース部材７の平面形状における直径寸法よりも長くなる位置に配置され、ケース外表示用ミラー９Ａによって反射した反射光を開口１０Ａから出射し、この反射光により画像をケース部材７の外側に結像されたように表示する。【選択図】図２
2011237729.tif 000002
【特許請求の範囲】
【請求項１】
発光素子と、前記発光素子を支持する支持体と、前記支持体を回転させる回転駆動装置と、前記発光素子の発光を制御する制御装置とを備え、前記制御装置の制御に基づいて発光された前記発光素子からの光を用いて画像を表示する画像表示装置であって、
前記支持体を被覆し、前記回転駆動装置の駆動によって前記支持体とともに回転する前記ケース部材と、前記ケース部材の内部に配置され、前記発光素子から発光された光を反射するミラーと、前記ケース部材に形成された開口とを有し、
前記発光素子からの光を前記ミラーによって反射し、この反射光を前記開口を介して前記ケース部材の外部に出射し、この反射光により画像を表示することを特徴とする回転型画像表示装置。
【請求項２】
前記ミラーを、前記発光素子から発光された光が前記開口に到達するまでの光路長が、前記ケース部材の平面形状における直径寸法よりも長くなる位置に配置されるケース外表示用ミラーとし、前記ケース外表示用ミラーによって反射した反射光によって、画像を前記ケース部材の外側に結像されたように表示することを特徴とする請求項１に記載の回転型画像表示装置。
【請求項３】
前記ミラーを、前記発光素子を頂点として前記ケース部材の方向に広がるようにテーパード状に配置されて前記発光素子からの光を再帰反射する再帰反射表示用ミラーとし、この再帰反射した反射光によって画像を表示することを特徴とする請求項１に記載の回転型画像表示装置。
【請求項４】
前記ミラーとして、前記支持体の一方の面に対向し、前記発光素子から発光された光が前記ミラーに反射されて前記開口から出射するまでの光路長が、前記ケース部材の平面形状における直径寸法よりも長くなる位置に配置されるケース外表示用ミラー、および前記支持体の他方の面側に位置し、前記発光素子を頂点として前記ケース部材の方向に広がるようにテーパード状に配置されて前記発光素子からの光を再帰反射する再帰反射表示用ミラーを有し、
前記発光素子として、前記ケース外表示用ミラーに光を照射するケース外表示用発光素子、および前記再帰反射表示用ミラーに光を照射する再帰反射表示用発光素子を有し、
前記ケース外表示用発光素子から発光され、前記ケース外表示用ミラーによって反射した反射光によって、画像を前記ケース部材の外側に結像されたように表示するとともに、前記再帰反射表示用発光素子から発光され、前記再帰反射表示用ミラーによって再帰反射した反射光によって画像を表示することを特徴とする請求項１に記載の回転型画像表示装置。
【請求項５】
前記制御装置は、前記ケース部材の回転にともなう前記開口の位置の移動によって、前記開口を介して表示される画像が前記開口の各位置によって異なるように前記発光素子の発光を制御することを特徴とする請求項１乃至請求項４のいずれか１項に記載の回転型画像表示装置。
【請求項６】
外部からの情報データを受信する受信装置を備え、
前記制御装置が、前記受信装置によって受信された前記情報データの信号に基づき前記発光素子の回転軌道上の位置に応じて前記発光素子の発光を制御することを特徴とする請求項１乃至請求項５のいずれか１項に記載の回転型画像表示装置。
【発明の詳細な説明】
【技術分野】
【０００１】
本発明は、発光素子を回転させて文字や図形等の画像を表示する回転型画像表示装置に関する。
【背景技術】
【０００２】
従来より、複数の発熱素子を回転させながら前記各発光素子の発光を制御して、文字や図形等の所望の画像を表示する回転型画像表示装置が考えられている（例えば、特許文献１、特許文献２参照）。
【０００３】
この回転型画像表示装置は、複数の発光素子と、回転可能な支持体とを有し、各発光素子は、支持体における回転方向と交差する方向に並列配置されている。そして、回転型画像表示装置は、支持体とともに回転する各発光素子の発光を回転軌道上の位置に応じて制御することにより、網膜の残像効果を利用して文字や図形等の所望の画像を表示するようになっている。
【先行技術文献】
【特許文献】
【０００４】
【特許文献１】特開２０００−２５０４４５号公報
【特許文献２】特開２００４−０４５６９４号公報
【発明の概要】
【発明が解決しようとする課題】
【０００５】
このような従来の回転型画像表示装置において、近年、単なる平面的または立体的な画像の表示ではなく、人の興味を引くような特異な画像の表示が求められている。
【０００６】
本発明はこれらの点に鑑みてなされたものであり、特異な画像の表示を行うことが可能な回転型画像表示装置を提供することを目的とする。
【課題を解決するための手段】
【０００７】
前記目的を達成するため、本発明に係る回転型画像表示装置の特徴は、発光素子と、前記発光素子を支持する支持体と、前記支持体を回転させる回転駆動装置と、前記発光素子の発光を制御する制御装置とを備え、前記制御装置の制御に基づいて発光された前記発光素子からの光を用いて画像を表示する画像表示装置であって、前記支持体を被覆し、前記回転駆動装置の駆動によって前記支持体とともに回転する前記ケース部材と、前記ケース部材の内部に配置され、前記発光素子から発光された光を反射するミラーと、前記ケース部材に形成された開口とを有し、前記発光素子からの光を前記ミラーによって反射し、この反射光を前記開口を介して前記ケース部材の外部に出射し、この反射光により画像を表示する点にある。
【０００８】
この本発明に係る回転型画像表示装置によれば、発光素子からの光を、ミラーによって反射し、この反射光によって画像を表示することにより、網膜の残像効果を利用しながら、単に発光素子からの光によって画像を表示することとは異なる特異な画像の表示を行うことができる。
【０００９】
また、本発明に係る回転型画像表示装置において、前記ミラーを、前記発光素子から発光された光が前記開口に到達するまでの光路長が、前記ケース部材の平面形状における直径寸法よりも長くなる位置に配置されるケース外表示用ミラーとし、前記ケース外表示用ミラーによって反射した反射光によって、画像を前記ケース部材の外側に結像されたように表示するとよい。このような構成を採用することにより、本発明に係る回転型画像表示装置は、ケース外表示用発光素子から発光された光が開口に到達するまでの光路長が、ケース部材の平面形状における直径寸法よりも長くなるので、ケース外表示用ミラーによる反射光によって表示される画像を、ケース部材の外側に結像されたように表示することができ、人の興味を引くような特異な画像の表示を行うことができる。
【００１０】
さらに、本発明に係る回転型画像表示装置において、前記ミラーを、前記発光素子を頂点として前記ケース部材の方向に広がるようにテーパード状に配置されて前記発光素子からの光を再帰反射する再帰反射表示用ミラーとし、この再帰反射した反射光によって画像を表示するとよい。このような構成を採用することにより、本発明に係る回転型画像表示装置は、再帰反射光によって万華鏡のような画像を表示することができ、人の興味を引くような特異な画像を表示することができる。
【００１１】
さらにまた、本発明に係る回転型画像表示装置において、前記ミラーとして、前記支持体の一方の面に対向し、前記発光素子から発光された光が前記ミラーに反射されて前記開口から出射するまでの光路長が、前記ケース部材の平面形状における直径寸法よりも長くなる位置に配置されるケース外表示用ミラー、および前記支持体の他方の面側に位置し、前記発光素子を頂点として前記ケース部材の方向に広がるようにテーパード状に配置されて前記発光素子からの光を再帰反射する再帰反射表示用ミラーを有し、前記発光素子として、前記ケース外表示用ミラーに光を照射するケース外表示用発光素子、および前記再帰反射表示用ミラーに光を照射する再帰反射表示用発光素子を有し、前記ケース外表示用発光素子から発光され、前記ケース外表示用ミラーによって反射した反射光によって、画像を前記ケース部材の外側に結像されたように表示するとともに、前記再帰反射表示用発光素子から発光され、前記再帰反射表示用ミラーによって再帰反射した反射光によって画像を表示するとよい。このような構成を採用することにより、本発明に係る回転型画像表示装置は、ケース外表示用発光素子から発光された光が開口に到達するまでの光路長が、ケース部材の平面形状における直径寸法よりも長くなるので、ケース外表示用ミラーによる反射光によって表示される画像を、ケース部材の外側に結像されたように表示するとともに、再帰反射光によって万華鏡のような画像を表示することができる。これにより、本発明に係る回転型画像表示装置は、人の興味を引くような特異な画像を表示することができる。
【００１２】
また、本発明に係る回転型画像表示装置は、前記制御装置が、前記ケース部材の回転にともなう前記開口の位置の移動によって、前記開口を介して表示される画像が前記開口の各位置によって異なるように前記発光素子の発光を制御するようにしてもよい。このような構成を採用することにより、本発明に係る回転型画像表示装置は、開口の各位置によって異なる画像を表示することができ、視認者は、視認角度によって異なる表示を視認することができる。
【００１３】
さらにまた、本発明に係る回転型画像表示装置は、外部からの情報データを受信する受信装置を備え、前記制御装置が、前記受信装置によって受信された前記情報データの信号に基づき前記発光素子の回転軌道上の位置に応じて前記発光素子の発光を制御するようにしてもよい。このような構成を採用することにより、本発明に係る回転型画像表示装置は、ニュース等の新規な情報を表示することができる。
【発明の効果】
【００１４】
以上述べたように、本発明に係る回転型画像表示装置によれば、ミラーによって反射した反射光によって画像の表示を行うことにより、人の興味を引くような特異な画像を表示することが可能となる。
【図面の簡単な説明】
【００１５】
【図１】本発明に係る回転型画像表示装置の一実施形態を示す斜視図
【図２】図１の回転型画像表示装置の分解斜視図
【図３】図１の回転型画像表示装置の支持体の一面を示す正面図
【図４】図１の回転型画像表示装置のケース外表示用発熱素子、各ケース外表示用ミラーおよびケース外表示用開口の配置を示す平面概説図
【図５】（ａ）〜（ｂ）は、図４の回転画像表示装置の回転によりケース外表示用開口から視認される画像を示す平面概説図
【図６】図１の回転型画像表示装置の支持体の他面を示す背面図
【図７】図１の回転型画像表示装置の各再帰反射表示用ミラーの配置を示す斜視図
【発明を実施するための形態】
【００１６】
以下、本発明に係る回転型画像表示装置の一実施形態を図１乃至図７を参照して説明する。
【００１７】
図１は、本実施形態に係る回転型画像表示装置を示す斜視図、図２は、図１の回転型画像表示装置の分解斜視図である。図１および図２に示すように、本実施形態に係る回転型画像表示装置１は、発光素子２と、発光素子２を支持する支持体３と、支持体３を回転させる回転駆動装置５と、発光素子２の発光を制御する発光制御装置６と、支持体３を被覆し、回転駆動装置５によって支持体３とともに回転するケース部材７とを有している。また、回転型画像表示装置１は、ケース部材７の内部に配置され、発光素子２から発光された光を反射するミラー９と、ケース部材７に形成され、ミラー９に反射した反射光をケース部材７の外側に出射する開口１０とを有している。そして、回転型画像表示装置１は、発光素子２が支持される支持体３を回転するとともに、発光素子２からの光をミラー９によって反射し、開口１０を介してケース部材７の外部に出射した反射光によって、網膜の残像効果を利用して画像を表示するようになっている。
【００１８】
支持体３は、円盤状のプリント基板からなり、一部分（図２における下部分）に切欠部３ａが形成され、切欠部３ａには、前記回転駆動装置５としてのモータ５が取り付けられるようになっており、発光制御装置６は、支持体３に支持されている。なお、本実施形態において支持体３は円盤状であるが、本発明はこれに限定されず、回転型画像表示装置１の全体の形状に即して種々の形状とすることができる。
【００１９】
モータ５は、モータブラケット１２を介してプリント基板１３に実装されており、モータ５の駆動軸５ａが露出するようにプリント基板１３とともに上ケース１５Ａおよび下ケース１５Ｂからなるモータ用ケース１５の内部に配置されている。モータ５の駆動軸５ａの先端部には、回転可能な支持体３に対してプリント基板１３からの制御信号および電力を伝達するスリップリング１６が固定用ねじ１７によって取り付けられており、このスリップリング１６は、支持体３に固定して取り付けられている。これにより、モータ５は、駆動軸５ａの先端部が支持体３の中央部分に位置するようにスリップリング１６を介して支持体３に固定して取り付けられている。
【００２０】
また、スリップリング１６は、支持体用電極１６ａ、およびモータ５の駆動軸５ａに対して同心円状に配置されて支持体用電極１６ａに電気的に接続されたスリップリング電極１６ｂを有している。支持体用電極１６ａは、支持体３の図示しない電極に電気的に接続されており、スリップリング電極１６ｂは、モータ用ケース１５の上に配置されたスリップリング接触子１８に電気的に接続されている。また、スリップリング電極１６ｂは、支持体３の一面側および他面側に配置される一対の電極カバー１９によって被覆されており、両電極カバー１９は、支持体３の図２における下部分に固定して取り付けられている。これにより、スリップリング１６は、支持体３に対してプリント基板１３からの制御信号および電力を伝達するようになっている。
【００２１】
また、プリント基板１３には、回転型画像表示装置１を単体で動作させる際に支持体３の回転数や各発光素子２の輝度を設定する設定エンコーダ２１、および表示される画像の種類を切り替えるモード切替ボタン２２が実装されている。設定エンコーダ２１は、モータ用ケース１５から露出されているとともにエンコーダ用カバー２０に被覆され、エンコーダ用カバー２０の上から操作可能とされている。また、モード切替ボタン２２は、先端部がモータ用ケース１５から露出されて配置され、操作可能とされている。さらに、プリント基板１３には、外部から電力を供給するために電源コード（図示せず）が接続される電源コネクタ２３、および外部からデータを入力するためにＵＳＢ機器（図示せず）が接続されるＵＳＢコネクタ２５が実装されている。電源コネクタ２３およびＵＳＢコネクタ２５は、それぞれの接続部がモータ用ケース１５の上ケース１５Ａから露出されており、これにより、電源コードやＵＳＢ機器が接続可能とされている。
【００２２】
そして、回転型画像表示装置１は、モータ５を駆動することにより、モータ５の駆動軸５ａを回転軸として支持体３を回転するようになっている。また、回転型画像表示装置１は、単体で動作可能であるとともに、ＵＳＢコネクタ２５に接続されたＵＳＢ機器から入力するコマンドデータに基づいて、支持体３の回転数や発光素子２の輝度の設定を切り替えたり、前記ＵＳＢ機器から表示される文字や図形等の画像のデータを読み込んで図示しないメモリに記憶し、さらに、表示される画像の種類を切り替えることができるようにしてもよい。
【００２３】
ケース部材７は、支持体３の一面側を被覆する第１ケース７Ａおよび支持体３の他面側を被覆する第２ケース７Ｂを有している。第１ケース７Ａおよび第２ケース７Ｂは、支持体３を間に挟持しながら相互に嵌合してほぼ球状とされており、これにより、ケース部材７は、支持体３とともに回転するようになっている。
【００２４】
また、ケース部材７は、透明材料からなるほぼ球状の風防カバー２６によって被覆されていることが好ましい。風防カバー２６は、第１ケース７Ａを被覆する第１カバー２６Ａおよび第２ケース７Ｂを被覆する第２カバー２６Ｂを有しており、第１カバー２６Ａおよび第２カバー２６Ｂを相互に嵌合して球状とするとともに、風防用ブラケット２７を介してモータ用ケース１５に取り付けられている。
【００２５】
本実施形態における回転型画像表示装置１は、発光素子２として、図３に示すような支持体３における一方の面である第１面３Ａに支持されるＬＥＤ等からなる複数のケース外表示用発光素子２Ａを有している。各ケース外表示用発光素子２Ａは、支持体３の第１面３Ａであって図３における左部分に、支持体３の回転方向に交差する方向に並列配置して実装されている。
【００２６】
また、回転型画像表示装置１は、ミラー９として、図４に示すように、ケース部材７内における支持体３の第１面３Ａに対向して配置される３枚の平板状のケース外表示用ミラー９Ａ（９Ａａ、９Ａｂ、９Ａｃ）を有しているとともに、開口１０として、ケース部材７のうち第１ケース７Ａに形成され、ケース外表示用ミラー９Ａに反射した光をケース部材７の外部に出射するケース外表示用開口１０Ａを有している。
【００２７】
各ケース外表示用ミラー９Ａは、ケース外表示用発光素子２Ａから発光された光が各ケース外表示用ミラー９Ａに反射してケース外表示用開口１０Ａから出射するまでの光路長Ｌ１が、ケース部材７の平面形状における直径寸法Ｌ２よりも長くなるように配置されている。本実施形態においては、図４に示すように、各ケース外表示用ミラー９Ａのうち第１ケース外表示用ミラー９Ａａは、各ケース外表示用発光素子２Ａに平面形状において所定の角度をもって対向して配置され、第１ケース７Ａに固定して取り付けられ、各ケース外表示用発光素子２Ａから発光した光を反射するようになっている。また、第２ケース外表示用ミラー９Ａｂは、第１ケース外表示用ミラー９Ａａに平面形状において所定の角度をもって対向して配置され、第１ケース７Ａに固定して取り付けられ、第１ケース外表示用ミラー９Ａａによって反射された反射光をさらに反射するようになっている。さらに、第３ケース外表示用ミラー９Ａｃは、第２ケース外表示用ミラー９Ａｂに対向して配置され、第２ケース外表示用ミラー９Ａｂによって反射された反射光をさらにまた反射し、ケース外表示用開口１０Ａを介してケース部材７の外部に出射するようになっている。この第３ケース外表示用ミラー９Ａｃは、第１ケース７Ａに取り付けられたミラー用ブラケット２９に固定して取り付けられている。
【００２８】
なお、本発明に係る回転型画像表示装置１における各ケース外表示用ミラー９Ａは、ケース外表示用発光素子２Ａから発光された光がケース外表示用開口１０Ａに到達するまでの光路長Ｌ１が、ケース部材７の平面形状における直径寸法Ｌ２よりも長くなる位置に配置されるものであれば、各ケース外表示用ミラー９Ａの数および配置位置は、本実施形態に限定されるものではない。
【００２９】
さらに、支持体３の一面には、各ケース外表示用発光素子２Ａの発光を制御する発光制御装置６として作用する第１発光制御用ＩＣ６Ａが実装されている。
【００３０】
そして、回転型画像表示装置１は、第１発光制御用ＩＣ６Ａの制御に基づいて発光された各ケース外表示用発光素子２Ａからの光を、各ケース外表示用ミラー９Ａによって反射し、この反射光をケース外表示用開口１０Ａを介してケース部材７の外部に出射し、この反射光によって画像をケース部材７の外側に結像されたように表示するようになっている。
【００３１】
また、図５に示すように、回転型画像表示装置１は、第１発光制御用ＩＣ６Ａにより、ケース部材７の回転に伴うケース外表示用開口１０Ａの位置の移動によってケース外表示用開口１０Ａを介して表示される画像がケース外表示用開口１０Ａの各位置によって異なるように、各ケース外表示用発光素子２Ａの発光を制御することが好ましい。これにより、視認者の視認角度によって異なる表示を視認することができる。
【００３２】
また、本実施形態における回転型画像表示装置１は、発光素子２として、図６に示すような支持体３における他方の面である第２面３Ｂに支持されるＬＥＤ等からなる複数の再帰反射表示用発光素子２Ｂを有している。さらに、回転型画像表示装置１は、ミラー９として、図７に示すように、ケース部材７内における支持体３の第２面３Ｂ側に位置し、再帰反射表示用発光素子２Ｂを頂点としてケース部材７の方向に広がるようにテーパード状（本実施形態においては三角錐状）に配置されて再帰反射表示用発光素子２Ｂからの光を再帰反射するする３つの再帰反射表示用ミラー９Ｂ（９Ｂａ、９Ｂｂ、９Ｂｃ）を有している。さらにまた、回転型画像表示装置１は、開口１０として、ケース部材７のうち第２ケース７Ｂにおける再帰反射表示用ミラー９Ｂに対向する位置に形成され、再帰反射表示用ミラー９Ｂに再帰反射した光をケース部材７の外部に出射する再帰反射表示用開口１０Ｂを有している。
【００３３】
３つの再帰反射表示用ミラー９Ｂの頂点に対向して配置される各再帰反射表示用発光素子２Ｂのうち、第１、第２再帰反射表示用ミラー９Ｂａ、９Ｂｂの頂点に対向して配置される再帰反射表示用発光素子２Ｂは、支持体３の第２面３Ｂであって図６における上部分に、左右対称の位置に１つずつ実装されている。また、第３再帰反射表示用ミラー９Ｂｃの頂点に対向して配置される再帰反射表示用発光素子２Ｂは、支持体３の第２面３Ｂにおける中央部分に複数個実装されている。
【００３４】
図７に示すように、各再帰反射表示用ミラー９Ｂは、それぞれ三角形状の３枚のハーフミラー等からなるミラー部材３０を三角錐状に配置することにより構成されている。そして、各再帰反射表示用ミラー９Ｂは、各再帰反射表示用発光素子２Ｂからの光が頂点から各ミラー部材３０の相互に対向する内面に照射されることにより、各ミラー部材３０の内面において再帰反射するようになっている。また、第３再帰反射表示用ミラー９Ｂの頂点側の外周には、各ミラー部材３０に対応して３枚のプリズム板３１が配置されることが好ましい。このプリズム板３１は、各再帰反射表示用発光素子２Ｂからの光を反射しつつ、分散しながら、第３再帰反射表示用ミラー９Ｂの内面に導くようになっている。
【００３５】
なお、本発明に係る回転型画像表示装置１における各再帰反射表示用ミラー９Ｂは、再帰反射表示用発光素子２Ｂを頂点としてケース部材７の方向に広がるようにテーパード状に配置されて再帰反射表示用発光素子２Ｂからの光を再帰反射するものであれば、再帰反射表示用ミラー９Ｂの数および配置位置は、本実施形態に限定されるものではない。また、本実施形態において、各再帰反射表示用ミラー９Ｂを構成するミラー部材３０としてハーフミラーを用いているが、本発明はこれに限定されるものではなく、一部のミラー部材３０にハーフミラーを用いてもよいし、すべてのミラー部材３０を全反射ミラーとしてもよい。
【００３６】
各再帰反射表示用開口１０Ｂは、再帰反射表示用ミラー９Ｂの底辺に対向して三角形状に形成されており、各再帰反射表示用ミラー９Ｂのミラー部材３０は、各再帰反射表示用開口１０Ｂによって支持されることにより、第２ケース７Ｂに固定して取り付けられている。なお、本実施形態においては、各再帰反射表示用開口１０Ｂが再帰反射表示用ミラー９Ｂの底辺に対応した形状に形成され、再帰反射表示用ミラー９Ｂは、各再帰反射表示用開口１０Ｂに支持されることによりケース部材７に取り付けられているが、本発明はこれに限定されるものではない。例えば、再帰反射表示用ミラー９Ｂに再帰反射された反射光が再帰反射表示用開口１０Ｂからケース部材７の外部に出射できる形状であれば、再帰反射表示用ミラー９Ｂの底辺に対応する形状でなくてもよい。また、再帰反射表示用ミラー９Ｂは再帰反射表示用開口１０Ｂによる支持ではなく、ブラケット等他の部材を用いてケース部材７に取り付けられるようにしてもよい。
【００３７】
さらに、支持体３の他面には、各再帰反射表示用発光素子２Ｂの発光を制御する発光制御装置６として作用する第２発光制御用ＩＣ６Ｂが実装されている。
【００３８】
そして、回転型画像表示装置１は、第２発光制御用ＩＣ６Ｂの制御に基づいて発光された各再帰反射表示用発光素子２Ｂからの光を、各再帰反射表示用ミラー９Ｂによって再帰反射し、この反射光を各再帰反射表示用開口１０Ｂを介してケース部材７の外部に出射し、画像を表示するようになっている。
【００３９】
さらに、支持体３の第１面３Ａおよび第２面３Ｂには、複数の端縁部発光素子３２が端縁におけるほぼ全周にわたって並列配置して実装されており、第１ケース７Ａおよび第２ケース７Ｂには、各端縁部発光素子３２から発光された光をケース部材７の外に出射する開口３３が形成されている。これにより、回転型画像表示装置１は、各端縁部発光素子３２から発光される光を開口３３から出射し、この光により所望の画像を表示するようになっている。
【００４０】
また、本実施形態における回転型画像表示装置１は、外部からの情報データの信号を受信する受信装置を備えており、受信装置によって受信された情報データの信号に基づき、第１発光制御用ＩＣ６Ａおよび第２発光制御用ＩＣ６Ｂにより各発光素子２の回転軌道上の位置に応じて発光素子２の発光を制御することが好ましい。本実施形態においては、受信装置として、モータ用ケース１５から露出して配置されているＵＳＢコネクタ２５を用いてもよく、または、図示しない無線により情報データの信号を受信する受信装置を備えてもよい。
【００４１】
次に、本実施形態に係る回転型画像表示装置１の作用について説明する。
【００４２】
本実施形態に係る回転型画像表示装置１においてケース外表示用ミラー９Ａを用いて画像の表示を行う場合、回転型画像表示装置１は、モータ５の駆動によって支持体３を回転させながら、まず、第１発光制御用ＩＣ６Ａの制御に基づいて発光された各ケース外表示用発光素子２Ａからの光を、第１ケース外表示用ミラー９Ａａにより反射する。その後、回転型画像表示装置１は、第１ケース外表示用ミラー９Ａａにより反射された反射光を第２ケース外表示用ミラー９Ａｂにより反射し、さらにこの反射光を第３ケース外表示用ミラー９Ａｃによって反射し、この反射光をケース外表示用開口１０Ａを介してケース部材７の外部に出射して、この反射光により網膜の残像効果を利用しながら画像を表示する。ここで、各ケース外表示用ミラー９Ａは、各ケース外表示用発光素子２Ａから発光された光がケース外表示用開口１０Ａに到達するまでの光路長Ｌ１が、ケース部材７の平面形状における直径寸法Ｌ２よりも長くなるように配置されているので、各ケース外表示用発光素子２Ａから発光された光がケース外表示用開口１０Ａに到達するまでの光路長Ｌ１は、ケース部材７の平面形状における直径寸法Ｌ２よりも長くなる。このとき、ケース外表示用発光素子Ａから各ケース外表示用ミラー９Ａを介してケース外表示用開口１０Ａまでの光路長Ｌ１と、ケース外表示用開口１０Ａから画像が結像される位置までの直線距離Ｌ３とは同一となるので、回転型画像表示装置１は、各ケース外表示用ミラー９Ａによる反射光によって表示される画像を、ケース部材７の外側に結像されたように表示することができる。
【００４３】
また、本実施形態に係る回転型画像表示装置１において再帰反射表示用ミラー９Ｂを用いて画像の表示を行う場合、回転型画像表示装置１は、モータ５の駆動によって支持体３を回転させながら、第２発光制御用ＩＣ６Ｂの制御に基づいて発光された各再帰反射表示用発光素子２Ｂからの光を、各再帰反射表示用ミラー９Ｂの内面において再帰反射し、この再帰反射光を再帰反射表示用開口１０Ｂを介してケース部材７の外部に出射して、この再帰反射光により網膜の残像効果を利用しながら画像を表示する。これにより、回転型画像表示装置１は、再帰反射光により万華鏡のような画像を表示することができる。
【００４４】
したがって、回転型画像表示装置１は、各ケース外表示用ミラー９Ａによる反射光によって表示される画像を、ケース部材７の外側に結像されたように表示することができる。また、回転型画像表示装置１は、再帰反射光により表示される画像を万華鏡のような画像に表示することができる。これにより、回転型画像表示装置１は、人の興味を引くような特異な表示を行うことができる。
【００４５】
また、回転型画像表示装置１は、第１発光制御用ＩＣ６Ａによって、ケース部材７の回転に伴うケース外表示用開口１０Ａの位置の移動によりケース外表示用開口１０Ａを介して表示される画像が、ケース外表示用開口１０Ａの各位置によって異なるように各ケース外表示用発光素子２Ａの発光を制御することにより、ケース外表示用開口１０Ａの各位置によって異なる画像を表示することができる。これにより、視認者は、視認角度によって異なる表示を視認することができる。
【００４６】
さらに、回転型画像表示装置１は、外部からの情報データの信号を受信する受信装置を備え、受信装置によって受信された情報データの信号に基づき、第１発光制御用ＩＣ６Ａおよび第２発光制御用ＩＣ６Ｂにより各発光素子２の回転軌道上の位置に応じて発光素子２の発光を制御することにより、ニュース等の新規な情報を表示することができる。
【００４７】
なお、本実施形態に係る回転型画像表示装置１においては、支持体３の第１面３Ａ側にケース外表示用ミラー９Ａを配置し、第２面３Ｂ側に再帰反射表示用ミラー９Ｂを配置するようになっているが、本発明に係る回転型表示装置はこれに限定されるものではない。たとえば、本発明に係る回転型画像表示装置１は、ケース外表示用ミラー９Ａおよび再帰反射表示用ミラー９Ｂのいずれか一方を、支持体３のいずれか一方の面側または両面側に備えるものであってもよい。
【００４８】
また、本発明は前記実施形態に限定されるものではなく、必要に応じて種々変更することが可能である。
【符号の説明】
【００４９】
１  回転型画像表示装置
２Ａ  ケース外表示用発光素子
２Ｂ  再帰反射表示用発光素子
３  支持体
３Ａ  第１面
３Ｂ  第２面
３ａ  切欠部
５  回転駆動装置(モータ）
５ａ  駆動軸
６Ａ  第１発光制御用ＩＣ
６Ｂ  第２発光制御用ＩＣ  
７  ケース部材
９Ａ  ケース外表示用ミラー
９Ｂ  再起反射表示用ミラー
１０Ａ  ケース外表示用開口
１０Ｂ  再帰反射表示用開口
１２  モータブラケット
１３  プリント基板
１５  モータ用ケース
１６  スリップリング
１７  固定用ねじ
１８  スリップリング接触子
１９  電極カバー
２１  設定エンコーダ
２２  モード切替ボタン
２３  電源コネクタ
２５  ＵＳＢコネクタ
２６  風防カバー
２７  風防用ブラケット
２９  ミラー用ブラケット
３１  プリズム板
３２  端部発光素子
３３  開口
【図１】
2011237729.tif 000003
【図２】
2011237729.tif 000004
【図３】
2011237729.tif 000005
【図４】
2011237729.tif 000006
【図５】
2011237729.tif 000007
【図６】
2011237729.tif 000008
【図７】
2011237729.tif 000009